(57)【要約】【課題】利用者が床面にかがみ込んだ状態で面倒な作業をすることなく床下収納庫本体内から容易に収納容器を取り出すことができる床下収納庫を提供する【解決手段】床面２から上方に開口する床下収納部３を備える。床下収納部３の上方開口部を閉塞する開閉自在な蓋４を備える。被収納物を収納するための収納容器本体６及び収納容器本体６に設けた取出し用の把手７を有すると共に床下収納部３内に取出し自在に収納される収納容器５を備える。該収納容器５に、床下収納部３内に収納容器本体６を収納し且つ蓋４が開いた状態において前記把手７の把持部８が床下収納部３の上方開口部３ａよりも上方に位置するように把手７に付勢力を付与する付勢手段を設ける。収納容器本体６を収納し且つ蓋４が閉じた状態において蓋４により把手７を付勢力に抗して押し下げた状態で把手７を床下収納部３内に収納する。【選択図】        図１
2005016133.tif 000002
【特許請求の範囲】
【請求項１】
床面から上方に開口する床下収納部と、床下収納部の上方開口部を閉塞する開閉自在な蓋と、被収納物を収納するための収納容器本体及び収納容器本体に設けた取出し用の把手を有すると共に床下収納部内に取出し自在に収納される収納容器と、を備え、該収納容器に、床下収納部内に収納容器本体を収納し且つ蓋が開いた状態において前記把手の把持部が床下収納部の上方開口部よりも上方に位置するように把手に付勢力を付与する付勢手段を設け、収納容器本体を収納し且つ蓋が閉じた状態において蓋により把手を付勢力に抗して押し下げた状態で把手を床下収納部内に収納してなることを特徴とする床下収納庫。
【請求項２】
上記把手を収納容器本体に回動自在に連結し、付勢手段を、床下収納部内に収納容器本体を収納し且つ蓋が開いた状態において前記把手を起立させて把持部が床下収納部よりも上方に位置するように付勢力を付与するものとし、収納容器本体を収納し且つ蓋が閉じた状態において蓋により付勢力に抗して把手を倒して押し下げた状態で把手を床下収納部内に収納してなることを特徴とする請求項１記載の床下収納庫。
【請求項３】
上記蓋は回動自在に設けられることで開閉自在となるものであって、該蓋を閉じる際の回動方向と把手を倒す際の回動方向とを一致させてなることを特徴とする請求項２記載の床下収納庫。
【発明の詳細な説明】
【０００１】
【発明の属する技術分野】
本発明は、床下収納庫部内に取出し自在に収納される収納容器を備えた床下収納庫に関するものである。
【０００２】
【従来の技術】
従来から家庭内の備品等の被収納物を床下に収納するための床下収納庫として、床面から上方に開口する床下収納部と、床下収納部の上方開口部を閉塞する開閉自在な蓋と、床下収納部内に取出し自在に収納され且つ被収納物を収納するための収納容器と、を備えたものがある。この床下収納庫は、床下収納部内に収納した収納容器に被収納物を収納することで床下収納部内の収納空間において被収納物を分類して収納することが可能となっている（例えば特許文献１）。
【０００３】
ところで上記収納容器は一般的に収納容器の主体を構成する被収納物を収納するための収納容器本体と、収納容器本体に回動自在に連結した把手とからなり、該把手は蓋を閉じた状態且つ収納容器本体を床下収納部に収納した状態において、床下収納部内に倒れた状態で収納されている。そして収納容器本体に収納された被収納物を取り出したい時には、利用者は蓋を開けた後、把手を倒れた状態から起立状態に回動させ、次いで該把手の把持部を把持して、収納容器を床下収納部内から取り出す。
【０００４】
しかしながら、上記従来の収納容器を取り出す際には、利用者は把手を倒れた状態から回動させて起立状態にしなければならず面倒であり、またこの把手は収納状態において床面よりも下方に位置する床下収納部内に収納されているため、把手を回動する際には利用者は床面にかがみ込んで床下収納部内に手を入れなければならず不便である。
【０００５】
また特許文献２には、被収納物を収納するための収納容器ではないが、上下方向に開口した筒状の枠体を床下収納部内に収納し、該枠体を床下収納部内から取り出す際に利用者がその都度枠体に枠体取出し用の把手を取付け、該把手の把持部を掴むことで枠体を取り出す床下収納庫が開示されている。しかしながらこの床下収納庫は、収納容器の取り出しの都度、把手を枠体に取付けなければならず面倒であり、しかもこの把手は床面よりも下方に位置する床下収納部内に収納された枠体に取付けなければならず、この場合も利用者は把手の取付けの際には床面にかがみ込んで床下収納部内に手を入れて作業をしなければならず不便であった。
【０００６】
【特許文献１】
特開平１０−２６６５５０号公報
【特許文献２】
実開平０５−０６８８１１号公報
【０００７】
【発明が解決しようとする課題】
本発明は上記の点に鑑みてなされたものであり、その目的とするところは、利用者が床面にかがみ込んだ状態で面倒な作業をすることなく床下収納庫本体内から容易に収納容器を取り出すことができる床下収納庫を提供することにある。
【０００８】
【課題を解決するための手段】
上記課題を解決するために本発明に係る床下収納庫は、床面２から上方に開口する床下収納部３と、床下収納部３の上方開口部を閉塞する開閉自在な蓋４と、被収納物を収納するための収納容器本体６及び収納容器本体６に設けた取出し用の把手７を有すると共に床下収納部３内に取出し自在に収納される収納容器５と、を備え、該収納容器５に、床下収納部３内に収納容器本体６を収納し且つ蓋４が開いた状態において前記把手７の把持部８が床下収納部３の上方開口部３ａよりも上方に位置するように把手７に付勢力を付与する付勢手段を設け、収納容器本体６を収納し且つ蓋４が閉じた状態において蓋４により把手７を付勢力に抗して押し下げた状態で把手７を床下収納部３内に収納してなることを特徴とするものである。
【０００９】
このように把手７を有する収納容器５を備え、該収納容器５に、床下収納部３内に収納容器本体６を収納し且つ蓋４が開いた状態において前記把手７の把持部８が床下収納部３の上方開口部３ａよりも上方に位置するように把手７に付勢力を付与する付勢手段を設け、収納容器本体６を収納し且つ蓋４が閉じた状態において蓋４により把手７を付勢力に抗して押し下げた状態で把手７を床下収納部３内に収納することで、収納容器本体６を床下収納部３内に収納した状態において蓋４を開けた際には、付勢手段により把手７の把持部８が床下収納部３の上方開口部３ａよりも上方に位置するように把手７を自動的に移動させることができ、これにより収納容器本体６を取り出す際には利用者は蓋４を開けるだけで床面２にかがみ込んで床下収納部３内に手を入れるといった動作をすることなく把手７の把持部８を把持することができ、利用者は容易に収納容器５を取り出すことができる。
【００１０】
また請求項２は請求項１において、上記把手７を収納容器本体６に回動自在に連結し、付勢手段を、床下収納部３内に収納容器本体６を収納し且つ蓋４が開いた状態において前記把手７を起立させて把持部８が床下収納部３よりも上方に位置するように付勢力を付与するものとし、収納容器本体６を収納し且つ蓋４が閉じた状態において蓋４により付勢力に抗して把手７を倒して押し下げた状態で把手７を床下収納部３内に収納してなることを特徴とするものである。
【００１１】
このように上記把手７を収納容器本体６に回動自在に連結し、付勢手段を、床下収納部３内に収納容器本体６を収納し且つ蓋４が開いた状態において前記把手７を起立させて把持部８が床下収納部３よりも上方に位置するように付勢力を付与するものとし、収納容器本体６を収納し且つ蓋４が閉じた状態において蓋４により付勢力に抗して把手７を倒して押し下げた状態で把手７を床下収納部３内に収納することで、収納容器本体６を床下収納部３内に収納した状態において蓋４を開けた際には、付勢手段により倒れた状態にある把手７を起立させて把手７の把持部８が床下収納部３の上方開口部３ａよりも上方に位置するように自動的に回動させることができ、簡単な構成により把手７の把持部８が床下収納部３の上方開口部３ａよりも上方に位置するように把手７を移動させることができる。
【００１２】
また請求項３は請求項２において、上記蓋４は回動自在に設けられることで開閉自在となるものであって、該蓋４を閉じる際の回動方向イと把手７を倒す際の回動方向ロとを一致させてなることを特徴とするものである。
【００１３】
このように蓋４を閉じる際の回動方向イと把手７を倒す際の回動方向ロとを一致させることで、床下収納部３内に収納容器本体６を収納した状態で蓋４を閉じる方向に回動させるだけで把手７を倒すことができ、これにより蓋４を閉じるだけで把手７を容易に床下収納部３内に収納することができる。
【００１４】
【発明の実施の形態】
以下図１〜３に基づいて本実施形態の床下収納庫について説明する。図１に示す床下収納庫１は、床面２から上方に開口する床下収納部３と、床下収納部３の上方開口部３ａを閉塞する開閉自在な蓋４と、床下収納部３内に取り出し自在に収納される収納容器５とを備えている。
【００１５】
床下収納部３は、上端開口面が床面２と面一の床１２に形成した上方開口部３ａと、該上方開口部３ａの下方に配設した上方に開口する箱状の収納庫本体１１とを備えている。床下収納部３の上方開口部３ａは、床１２を形成する床材９に形成した平面視矩形状の開口部９ａと、床材９の下面の開口部９ａ側の縁部に設けた開口部９ａと平面視略同形同大の開口枠１３と、開口枠１３の内周面に設けた受け枠１４と、からなる。収納庫本体１１はその上端部から外方に突設したフランジ部を受け枠１４に戴置することで上方開口部３ａの下方に配設されており、該収納庫本体１１の上方開口部１１ａを上方開口部３ａに連通させている。
【００１６】
床下収納部３の上方開口部３ａには該上方開口部３ａと平面視略同形同大（即ち矩形状）の蓋４を設けている。蓋４は閉状態において前記受け枠１４に周縁部が載置されることで、蓋４の上面が床材９表面の床面２と略面一となるように上方開口部３ａに配され、該蓋４は図示は省略するが床開口部３の内周縁に蓋４の一端部が回動自在に枢支されることで開閉自在となっている。
【００１７】
上記床下収納部３内の蓋４の下方に位置する部分に取出し自在に収納される収納容器５は、図２に示すように、被収納物を収納するための収納容器本体６と、収納容器本体６に設けた収納容器取出し用の把手７とを有する。
【００１８】
収納容器本体６は平面視矩形状で且つ上方に開口する有底筒状であって、該収納容器本体６は複数本の金属製の線材からなる籠である。該収納容器本体６は把手７を回動自在に支持するための係止部１６、１６を備えている。該係止部１６は、収納容器本体６の側壁のうち、蓋４の回動軸の軸方向と直交する一組の側壁１７、１７の上端部中央に夫々設けられており、各係止部１６、１６は上方に凸となるように略横く字状に屈曲形成した金属製の線材である。また両側壁１７、１７の上部には、後述する各コイルばね１８、１８の一端部を取付けるためのばね取付け部２２、２２を各係止部１６の下方に夫々配設している。
【００１９】
把手７は収納容器本体６の上部に回動自在に連結されており、回動中心となる回動中心部２５と、利用者が収納容器５の取り出しの際に把持する部分である前記回動中心部２５と反対側の端部に設けた把持部８と、を備えている。具体的には把手７は、両側片２０、２０と、両側片２０、２０の端部同士を連結する中央片２１とを備えて、略コ字状に形成されており、該把手７の中央片２１が把持部８となっている。両側片２０、２０の夫々の把持部８と反対側の端部には前記各係止部１６、１６に引掛けられる引掛け部１９、１９を形成してあり、各引掛け部１９、１９は両側片２０、２０の夫々の把持部８と反対側の端部を把持部８側に折り返すことで形成されている。そして各引掛け部１９、１９を対応する前記各係止部１６に引掛けることで、把手７は収納容器本体１１の係止部１６、１６に回動自在に支持される。即ち、本実施形態では両引掛け部１９、１９が把手７の回動中心部２５となっている。また把手７の各引掛け部１９、１９と把持部８の間には各コイルばね１８、１８の他端部を取付けるためのばね取付け部２３、２３を夫々設けている。
【００２０】
そして収納容器５は、前記回動中心部２５が蓋４の下方に位置するように収納されており、これにより蓋４を閉じる際の蓋４の回動方向イと把手７を倒す際の把手７の回動方向ロ、及び蓋４を開く際の蓋４の回動方向ハと把手７を起立する際の把手７の回動方向ニとが一致することとなる。
【００２１】
上記収納容器５には床下収納部３内に収納容器本体６を収納し且つ蓋４が開いた状態において前記把手７の把持部８が床下収納部３の上方開口部３ａよりも上方に位置するように把手７に付勢力を付与するばね等の付勢手段を設けている。本実施形態の付勢手段は収納容器本体６の両側壁１７、１７に配設した２つのコイルばね１８、１８としており、両コイルばね１８、１８は夫々一端部が前述した収納容器本体６に設けた各ばね取付け部２２、２２に、他端部が把手７に設けた各ばね取付け部２３、２３に、固着具２６、２７にて取付けられている。各コイルばね１８、１８は図３に示すように把手７が起立した状態を維持するように把手７にばね力を付与するものである。
【００２２】
そして収納容器本体６を収納し且つ蓋４が閉じた状態においては、上記収納容器５の把手７は、蓋４により把手７を両コイルばね１８、１８によるばね力（付勢手段による付勢力）に抗して押し下げた状態で把手７が床下収納部３内に位置する状態、即ち把手７が倒れた位置まで回動して押し下げられた状態で収納されており（図１の二点鎖線に示す）、またこの場合把手７は、把手７の上端部に位置することとなる把持部８が蓋４の下面に弾接した状態で、且つ把手７が起立して把持部８が床下収納部３よりも上方に位置するように両コイルばね１８、１８によりばね力を付与された状態で床下収納部３内に収納されている。なお上記蓋４による把手７の押し下げは蓋４の自重によるものとする。
【００２３】
上記床下収納庫１は床下収納部３内に収納した収納容器５の収納容器本体６に家庭内の備品等の被収納物を収納することで、床下収納部３内において被収納物を分類して収納することが可能となる。
【００２４】
また被収納物を取り出す際に床下収納部３内に収納した収納容器本体６を取り出す場合は、利用者は蓋４を回動させて蓋４を開ける。蓋４を開けると、前述した両コイルばね１８、１８は図１中矢印イに示す方向に把手７を回動（移動）させる。そして両コイルばね１８、１８は図３に示すように把手７が起立状態になるまで回動（移動）させ、把手７の把持部８が床下収納部３の上方開口部３ａよりも上方に位置する状態で保持する。このように蓋４を開けた際に両コイルばね１８、１８により該蓋４の開動作に連動して自動的に把手７の把持部８が床下収納部３の上方開口部３ａよりも上方に位置するように把手７を回動（移動）させることで、収納容器本体６を取り出す際には利用者は床面２にかがみ込んで床下収納部３内に手を入れるといった動作をすることなく蓋４を開けるだけで上方開口部３ａより上方に突出した把手７の把持部８を把持することができ、しかもこの場合、自動的に把手の把持部８が回動（移動）するため、従来例のように把手７を取付けたり、起立状態まで回動させる等の面倒な作業をする必要がなく便利であり、上記により利用者は容易に収納容器５を床下収納部３内から取り出すことができる。
【００２５】
また取り出した収納容器５を床下収納部３内に収納する場合は、蓋４を開けた状態且つ収納容器本体６を床下収納部３内に収納した状態にし、この後蓋４を閉じる方向に回動させて蓋４にて床下収納部３の上方開口部３ａを閉塞する。この際、前述したように蓋４を閉じる際の回動方向イと、把手７を倒す際の回動方向ロとが一致しているため、閉方向に回動する蓋４の下面により把手７を両コイルばね１８、１８によるばね力に抗して把手７が倒れた状態にまで回動させて押し下げることができ、これにより利用者は蓋４を閉じる方向に回動させるだけで把手７を倒すことができ、つまりは蓋４を閉じるだけで把手７を容易に床下収納部３内に収納することができ便利である。
【００２６】
なお上記では蓋４を床下収納部３の上方開口部３ａに回動自在に連結することで、蓋４を開閉自在なものとしたが、例えば蓋４は単に着脱自在に床下収納部３の上方開口部３ａに取付けてあっても良く、つまり蓋４は床下収納部３の上方開口部３ａを閉塞でき開閉自在なものであれば良いものとする。また上記では床下収納部３内に一つの収納容器５を収納したが、該床下収納部３内には複数の収納容器５を収納しても良いものとする。
【００２７】
次に上記とは異なる実施形態を図４に示す。なお上記図１に示す実施形態と同一の構成については同一の番号を付与してあり、重複する説明については説明を省略する。
【００２８】
本実施形態では図４に示すように上記蓋４を、２つの蓋体２４、２４からなる観音開き式の蓋４とし、把手７を倒す際の回動方向ロと、該把手７の回動中心部２５、２５の上方に位置する一方の蓋体２４ａを閉じる際の回動方向イとを一致させている。詳述すると、各蓋体２４、２４の片側端部は床下収納部３の上方開口部３ａの対向する２辺に相当する部分に回動自在に枢支されており、これにより蓋４は観音開き式に回動自在となっている。床下収納部３内における一方の蓋体２４ａの下方に位置する部分には、上記図１に示す実施形態と同じ収納容器５が収納されており、該収納容器５の収納容器本体６は把手７の回動中心部２５を一方の蓋体２４ａの下方に配されるように収納されており、これにより一方の蓋体２４ａを閉じる際の回動方向と把手７を倒す際の回動方向とを一致させている。なお本実施形態では収納容器５を床下収納部３の一方の蓋体２４ａの下方に位置する部分にのみ収納した例を示したが、例えば床下収納部３内に複数の収納容器５を収納し、各収納容器５の収納容器本体６を床下収納部３内に収納した状態において、各収納容器５の把手７を閉じる際の回動方向と、各収納容器５の上方に位置する蓋体２４の閉じる際の回動方向とを一致させても良いものとする。
【００２９】
このように構成することで、観音開き式の蓋４を有する床下収納庫１においても、上記図１に示す実施形態と同様に、蓋体２４ａを閉じる方向に回動させるだけで該蓋体２４ａの下方に位置する収納容器５の把手７を倒すことができ、これにより蓋体２４ａを閉じるだけで把手７の把持部８を容易に床下収納部３内に収納することができる。
【００３０】
次に上記図１及び図４に示す実施形態とは更に異なる例の実施形態を図５に示す。なお上記図１の実施形態と同一の構成については同一の番号を付与してあり、重複する説明については説明を省略する。
【００３１】
本実施形態の床下収納庫１は図５に示すように、上記把手７を収納庫本体６に上下移動自在に設け、上記付勢手段を、床下収納部３内に収納容器本体６を収納し且つ蓋４が開いた状態において、把手７が上方に移動して把手７の把持部８が床下収納部３の上方開口部よりも上方に位置するように把手７に付勢力を付与するものとし、収納容器本体６を収納し且つ蓋４が閉じた状態において蓋４により把手６を付勢力に抗して下方に押し下げた状態で床下収納部３内に収納している。詳述すると、把手７の両側片２０、２０は収納容器本体６の両側壁１７、１７の夫々の上下方向の複数箇所に設けた支持部材２８により上下移動自在に支持されている。把手７の両側片２０、２０の下端部には夫々ストッパ２９、２９を設けてあり、中間部には付勢手段となる２つのコイルばね３１、３１の上端部が取り付けられるばね取り付け部３０、３０が夫々形成されている。そして各ばね取り付け部３０、３０の下面には各コイルばね３１、３１の上端部が設けてあり、各コイルばね３１、３１の下端部は各側壁１７、１７に設けた複数の支持部材２８のうち、一つの支持部材２８に取り付けられている。両コイルばね３１、３１は把手７の把持部８が床下収納部３の上方開口部よりも上方に位置した状態を維持するように把手７に上方向のばね力を付与するものであって、両コイルばね３１、３１は把手６がばね力に抗して下方に位置する際に縮んで上方にばね力を付与した状態となり、把持部８が床下収納部３の上方開口部よりも上方に位置した際には膨らんだ状態となる。またこの両コイルばね３１、３１が膨らんだ状態では図に示すようにストッパ２９、２９の上面が前記コイルばね１８の上端部を取り付けた支持部材２８に当接するものであって、これにより利用者が把手７の把持部８を把持した際にストッパ２９、２９にて収納容器本体６を支持できるようになっている。
【００３２】
そして収納容器本体６を収納し且つ蓋４が閉じた状態においては、上記収納容器５の把手７は、両コイルばね３１、３１によるばね力に抗して把手７の把持部８が床下収納部３内に位置する状態、即ち把手７の把持部８が蓋４の下面に弾接した状態で且つ把手７を上方に移動させて把持部８が床下収納部３の上方開口部３ａよりも上方に位置するように両コイルばね３１、３１によりばね力を付与された状態で床下収納部３内に収納されている。
【００３３】
収納容器本体１１を取り出す際は、利用者は蓋４を回動させて開ける。蓋４を開けると、前述した両コイルばね３１、３１は、蓋４の開動作に連動して把手７の把持部８が上方開口部３ａよりも上方に突出する位置（図５中二点鎖線に示す）まで把手７を上方に移動させ、この位置で把手７を保持する。
【００３４】
また収納容器５を床下収納部３内に収納する際は、蓋４を開けた状態とした後、収納容器本体６を床下収納部３内に収納し、この後蓋４を閉じる方向に回動させて蓋４を閉じる。この際、把手７は蓋４の閉じる方向への回動により把手７上端部が蓋４の下面に押されて両コイルばね３１、３１のばね力に抗して下方に押し下げられ、これにより把手７が床下収納部３内に収納されることとなる。
【００３５】
【発明の効果】
以上説明したように本発明の床下収納庫は利用者が床面にかがみ込んだ状態で面倒な作業をすることなく床下収納庫本体内から容易に収納容器を取り出すことができる。
【図面の簡単な説明】
【図１】本発明の実施形態の一例を示す床下収納庫の正面断面図である。
【図２】同上の収納容器の斜視図である。
【図３】（ａ）図２のＡ部拡大正面図であり、（ｂ）は（ａ）の側断面図である。
【図４】異なる実施形態の一例の床下収納庫の正面断面図である。
【図５】更に異なる実施形態の一例の床下収納庫の収納容器を示す要部拡大正面図である。
【符号の説明】
イ  蓋を閉じる際の回動方向
ロ  把手を倒す際の回動方向
１  床下収納庫
２  床面
３  床下収納部
３ａ  上方開口部
４  蓋
５  収納容器
６  収納容器本体
７  把手
８  把持部
【図１】
2005016133.tif 000003
【図２】
2005016133.tif 000004
【図３】
2005016133.tif 000005
【図４】
2005016133.tif 000006
【図５】
2005016133.tif 000007